(57)【要約】【課題】ネットワークの管理を容易にすることに貢献すること。【解決手段】通信システムは、通信管理装置と、イーサフレームを介して通信管理装置と通信する、１又は２以上のノードを含み、通信管理装置は、ＰＣＩ  Ｅｘｐｒｅｓｓと、イーサフレームとの変換を行う、第１の変換部を備え、ノードは、ＰＣＩ  Ｅｘｐｒｅｓｓと、イーサフレームとの変換を行う、第２の変換部を備える通信システム。【選択図】図１
2015192302.tif 000002
【特許請求の範囲】
【請求項１】
通信管理装置と、イーサフレームを介して前記通信管理装置と通信する、１又は２以上のノードを含む、通信システムであって、
前記通信管理装置は、
ＰＣＩ  Ｅｘｐｒｅｓｓ（Peripheral Component Interconnect Express）と、イーサフレームとの変換を行う、第１の変換部を備え、
前記ノードは、
ＰＣＩ  Ｅｘｐｒｅｓｓと、イーサフレームとの変換を行う、第２の変換部を備える通信システム。
【請求項２】
前記通信管理装置は、
前記各ノードに対する設定情報を受け付ける、入力部をさらに備え、
前記第１の変換部は、前記設定情報をイーサフレームに変換し、当該イーサフレームを、当該設定情報に対応する前記ノードに送信し、
前記第２の変換部は、前記設定情報を含む、イーサフレームを前記通信管理装置から受信し、受信したイーサフレームを、ＰＣＩ  Ｅｘｐｒｅｓｓに変換する、請求項１に記載の通信システム。
【請求項３】
所定のノードと通信する対向ノードを含み、
前記所定のノードの前記第２の変換部は、イーサフレームのメッセージの宛先に応じて、当該メッセージに対する処理を変更する、請求項１又は２に記載の通信システム。
【請求項４】
前記第２の変換部は、受信したイーサフレームのメッセージが自ノード宛である場合、当該イーサフレームをＰＣＩ  Ｅｘｐｒｅｓｓに変換し、受信したイーサフレームのメッセージが前記対向ノード宛である場合、当該イーサフレームのメッセージを、当該対向ノードに送信する、請求項３に記載の通信システム。
【請求項５】
イーサフレームを介して、１又は２以上のノードと通信する通信管理装置であって、
ＰＣＩ  Ｅｘｐｒｅｓｓと、イーサフレームとの変換を行う、第１の変換部を備える通信管理装置。
【請求項６】
イーサフレームを介して通信管理装置と通信するノードであって、
ＰＣＩ  Ｅｘｐｒｅｓｓと、イーサフレームとの変換を行う、第２の変換部を備えるノード。
【請求項７】
ＰＣＩ  Ｅｘｐｒｅｓｓと、イーサフレームとの変換を行う変換工程と、
イーサフレームを介して、１又は２以上のノードと通信する工程と、
を含む通信管理方法。
【請求項８】
ＰＣＩ  Ｅｘｐｒｅｓｓと、イーサフレームとの変換を行う変換工程と、
イーサフレームを介して通信管理装置と通信する工程と、
を含むノードの制御方法。
【請求項９】
通信管理装置を制御するコンピュータに実行させるプログラムであって、
ＰＣＩ  Ｅｘｐｒｅｓｓと、イーサフレームとの変換を行う第１の変換処理と、
イーサフレームを介して、１又は２以上のノードと通信する処理と、
を実行するプログラム。
【請求項１０】
ノードを制御するコンピュータに実行させるプログラムであって、
ＰＣＩ  Ｅｘｐｒｅｓｓと、イーサフレームとの変換を行う第２の変換処理と、
イーサフレームを介して通信管理装置と通信する処理と、
を実行するプログラム。
【発明の詳細な説明】
【技術分野】
【０００１】
本発明は、通信管理装置、ノード、通信システム、通信管理方法、ノードの制御方法、及びプログラムに関する。
【背景技術】
【０００２】
所定の制御装置が、ネットワーク内の各ノードを制御する場合、制御装置と、各ノードとがメッセージを送受信する。そして、各ノードは、制御装置から送信されたメッセージを解析し、メッセージに応じた処理を行う。
【０００３】
ここで、特許文献１において、各ノード装置が制御装置から制御要求を受信し、受信したメッセージに基づいて、各ノードの装置タイプに応じたモジュールを、モジュール管理部からコピー、もしくはインストールして実行する技術が記載されている。
【先行技術文献】
【特許文献】
【０００４】
【特許文献１】特開２０１１−２１１４６６号公報
【発明の概要】
【発明が解決しようとする課題】
【０００５】
なお、上記先行技術文献の開示を、本書に引用をもって繰り込むものとする。以下の分析は、本発明の観点からなされたものである。
【０００６】
上述の通り、各ノードは、制御装置から送信されたメッセージを解析し、メッセージに応じた処理を行う。ここで、制御装置が送信するメッセージに未対応である、ノードを追加する場合、当該ノード、及び／又は制御装置に機能を追加する必要が生じる。そして、ノード等に機能を追加することは、制御装置と、ノードとを含んで構成される、通信システムの拡張、更新の妨げとなる恐れがある。
【０００７】
特許文献１に記載された技術では、予め、モジュール管理部が必要なモジュールを搭載しておく必要がある。そのため、特許文献１に記載された技術では、制御装置が送信するメッセージに未対応である、ノードを追加する場合、当該ノードに対応するモジュールを、モジュール管理部に登録（格納）する必要がある。
【０００８】
そこで、本発明は、ネットワークの管理を容易にすることに貢献する通信管理装置、ノード、通信システム、通信管理方法、ノードの制御方法、及びプログラムを提供することを目的とする。
【課題を解決するための手段】
【０００９】
本発明の第１の視点によれば、通信管理装置と、イーサフレームを介して前記通信管理装置と通信する、１又は２以上のノードを含む、通信システムであって、前記通信管理装置は、ＰＣＩ  Ｅｘｐｒｅｓｓ（Peripheral Component Interconnect Express）と、イーサフレームとの変換を行う、第１の変換部を備え、前記ノードは、ＰＣＩ  Ｅｘｐｒｅｓｓと、イーサフレームとの変換を行う、第２の変換部を備える通信システムが提供される。
【００１０】
本発明の第２の視点によれば、イーサフレームを介して、１又は２以上のノードと通信する通信管理装置であって、ＰＣＩ  Ｅｘｐｒｅｓｓと、イーサフレームとの変換を行う、第１の変換部を備える通信管理装置が提供される。
【００１１】
本発明の第３の視点によれば、イーサフレームを介して通信管理装置と通信するノードであって、ＰＣＩ  Ｅｘｐｒｅｓｓと、イーサフレームとの変換を行う、第２の変換部を備えるノードが提供される。
【００１２】
本発明の第４の視点によれば、ＰＣＩ  Ｅｘｐｒｅｓｓと、イーサフレームとの変換を行う変換工程と、イーサフレームを介して、１又は２以上のノードと通信する工程と、を含む通信管理方法が提供される。
なお、本方法は、通信システムを管理する通信管理装置という、特定の機械に結び付けられている。
【００１３】
本発明の第５の視点によれば、ＰＣＩ  Ｅｘｐｒｅｓｓと、イーサフレームとの変換を行う変換工程と、イーサフレームを介して通信管理装置と通信する工程と、を含むノードの制御方法が提供される。
なお、本方法は、通信管理装置と通信するノードという、特定の機械に結び付けられている。
【００１４】
本発明の第６の視点によれば、通信管理装置を制御するコンピュータに実行させるプログラムであって、ＰＣＩ  Ｅｘｐｒｅｓｓと、イーサフレームとの変換を行う第１の変換処理と、イーサフレームを介して、１又は２以上のノードと通信する処理と、を実行するプログラムが提供される。
【００１５】
本発明の第７の視点によれば、ノードを制御するコンピュータに実行させるプログラムであって、ＰＣＩ  Ｅｘｐｒｅｓｓと、イーサフレームとの変換を行う第２の変換処理と、イーサフレームを介して通信管理装置と通信する処理と、を実行するプログラムが提供される。
なお、第６の視点、及び第７の視点に係るプログラムは、コンピュータが読み取り可能な記憶媒体に記録することができる。記憶媒体は、半導体メモリ、ハードディスク、磁気記録媒体、光記録媒体等の非トランジェント（non-transient）なものとすることができる。本発明は、コンピュータプログラム製品として具現することも可能である。
【発明の効果】
【００１６】
本発明の各視点によれば、ネットワークの管理を容易にすることに貢献する通信管理装置、ノード、通信システム、通信管理方法、ノードの制御方法、及びプログラムが提供される。
【図面の簡単な説明】
【００１７】
【図１】一実施形態の概要を説明するための図である。
【図２】第１の実施形態に係る通信システム１０の全体構成の一例を示すブロック図である。
【図３】第１の実施形態に係る通信システム１０の動作の一例を示すフローチャートである。
【図４】第２の実施形態に係る通信システム１０ａの全体構成の一例を示す図である。
【図５】第２の実施形態に係る通信システム１０ａの動作の一例を示すフローチャートである。
【発明を実施するための形態】
【００１８】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１９】
上述の通り、ネットワークの管理を容易にすることに貢献する通信システムが望まれる。
【００２０】
そこで、一例として図１に示す通信システム１０００を提供する。通信システム１０００は、通信管理装置１０１１と、１又は２以上のノード１０１２を含んで構成される。各ノード１０１２は、イーサフレームを介して通信管理装置１０１１と通信する。ここで、イーサフレームとは、イーサ（Ether、登録商標）のネットワークのフレーム構造を意味する。
【００２１】
通信管理装置１０１１は、第１の変換部１１０１を備える。第１の変換部１１０１は、ＰＣＩ  Ｅｘｐｒｅｓｓ（Peripheral Component Interconnect Express）と、イーサフレームとの変換を行う。ノード１０１２は、第２の変換部１１０２を備える。第２の変換部１１０２は、ＰＣＩ  Ｅｘｐｒｅｓｓと、イーサフレームとの変換を行う。
【００２２】
通信システム１０００においては、通信管理装置１０１１と、各ノード１０１２とは、イーサフレームでデータを送受信する。通信管理装置１０１１は、イーサフレームを介して、ノード１０１２とデータを送受信し、通信管理装置１０１１内部では、ＰＣＩ  Ｅｘｐｒｅｓｓを用いて、データを処理できる。また、ノード１０１２は、イーサフレームを介して、通信管理装置１０１１とデータを送受信し、ノード１０１２内部では、ＰＣＩ  Ｅｘｐｒｅｓｓを用いて、データを処理できる。
【００２３】
そのため、通信システム１０００においては、通信管理装置１０１１と、ネットワーク（イーサフレーム）を介して接続されたノード１０１２と、を共に、ＰＣＩ  Ｅｘｐｒｅｓｓを用いて、容易に制御できる。例えば、通信システム１０００においては、通信管理装置１０１１は、通信管理装置１０１１内部で動作するプログラム等を用いて、ネットワーク（イーサフレーム）を介して接続されたノード１０１２を容易に制御できる。従って、通信システム１０００は、ネットワークの管理を容易にすることに貢献する。
【００２４】
［第１の実施形態］
第１の実施形態について、図面を用いてより詳細に説明する。
【００２５】
図２は、本実施形態に係る通信システム１０の全体構成の一例を示すブロック図である。なお、図２は、本実施形態に係る通信システム１０を、図２に示す構成ではない。また、図２は、簡単のため、本実施形態に係る通信システム１０に関係するモジュールを主に記載する。
【００２６】
図２に示す通信システム１０は、通信管理装置１と、ノード１１と、ノード２１と、を含んで構成される。なお、図２に示す通信システム１０は、２つのノード（ノード１１、ノード２１）を含むが、これは、本実施形態に係る通信システム１０が含むノードの数を、２つに限定する趣旨ではない。通信システム１０は、２以上のノードを含んでも良い。なお、以下の説明では、ノード１１、及びノード２１を区別する必要がない時は、ノード１１、及びノード２１を単に「ノード」と呼ぶ。
【００２７】
まず、通信管理装置１について、詳細に説明する。
【００２８】
通信管理装置１は、各ノードを制御する。ここで、通信管理装置１と、各ノードと、はネットワークを介して接続する。例えば、通信管理装置１と、各ノードとが、ＥｘｐＥｔｈｅｒ（登録商標）を利用して接続しても良い。以下の説明では、通信管理装置１と、各ノードとが、ＥｘｐＥｔｈｅｒ（登録商標）を利用して接続する構成について説明する。
【００２９】
通信管理装置１は、ＵＩ（User Interface）部２と、制御部３と、ＥｘｐＥｔｈｅｒ処理部４と、ＤＢ（Database）部５と、を含んで構成される。
【００３０】
ＵＩ部２は、通信管理装置１の操作者に対して、通信システム１０を制御するためのインターフェースを提供する。
【００３１】
制御部３は、通信管理装置１を制御するための処理を行う。
【００３２】
ＥｘｐＥｔｈｅｒ処理部４は、ＰＣＩ  Ｅｘｐｒｅｓｓと、イーサ（Ether、登録商標）のネットワークのフレーム構造との変換、及び送受信を行う。ＥｘｐＥｔｈｅｒ処理部４は、ＰＣＩ  Ｅｘｐｒｅｓｓを介して、制御部３と接続する。以下、「イーサのネットワークのフレーム構造」を「イーサフレーム」と呼ぶ。
【００３３】
具体的には、ＥｘｐＥｔｈｅｒ処理部４は、ＰＣＩ  Ｅｘｐｒｅｓｓをイーサフレームに変換し、各ノードへ送信する。また、ＥｘｐＥｔｈｅｒ処理部４は、各ノードから送信されたイーサフレームを、ＰＣＩ  Ｅｘｐｒｅｓｓに変換する。
【００３４】
ＤＢ部５は、各ノードに設定した内容、各ノードの状態等を記憶する。
【００３５】
次に、各ノードについて詳細に説明する。
【００３６】
図２に示すノード１１は、ＥｘｐＥｔｈｅｒ処理部１２と、ＵＮＩポート部１３と、Ｌ２ＳＷ処理部１４と、ＮＮＩポート部１５と、を含んで構成される。同様に、図２に示すノード２１は、ＥｘｐＥｔｈｅｒ処理部２２と、ＵＮＩポート部２３と、Ｌ２ＳＷ（L2 Switch）処理部２４と、ＮＮＩポート部２５と、を含んで構成される。ノード１１と、ノード２１とは同一の構成であるため、以下、ノード１１の構成について説明する。
【００３７】
通信管理装置１は、各ノード（ノード１１、ノード２１を含む）を制御する。通信管理装置１は、ＥｘｐＥｔｈｅｒを利用して、ネットワークを介して、各ノードと、通信管理装置１とを接続する。
【００３８】
ＥｘｐＥｔｈｅｒ処理部１２は、ＰＣＩ  Ｅｘｐｒｅｓｓと、イーサフレームとの変換、及び送受信を行う。
【００３９】
具体的には、ＥｘｐＥｔｈｅｒ処理部１２は、通信管理装置１から送信されイーサフレームを受信し、ＰＣＩ  Ｅｘｐｒｅｓｓに変換する。また、ＥｘｐＥｔｈｅｒ処理部１２は、ＰＣＩ  Ｅｘｐｒｅｓｓをイーサフレームに変換し、通信管理装置１に送信する。
【００４０】
ＥｘｐＥｔｈｅｒ処理部１２は、ＵＮＩポート部１３、Ｌ２ＳＷ処理部１４、ＮＮＩポート部１５、夫々と、ＰＣＩ  Ｅｘｐｒｅｓｓ介して接続する。
【００４１】
ＵＮＩポート部１３は、アクセス側のネットワークと接続する、ポートである。
【００４２】
Ｌ２ＳＷ処理部１４は、ノードのＬ２スイッチとして機能する。
【００４３】
ＮＮＩポート部１５は、バックボーン側のネットワークと接続するポートである。
【００４４】
次に、本実施形態に係る通信システム１０の動作について説明する。
【００４５】
図３は、本実施形態に係る通信システム１０の動作の一例を示すフローチャートである。
【００４６】
ステップＳ１において、制御部３は、ＵＩ部２を介して、入力された内容を取得する。具体的には、制御部３は、通信管理装置１の操作者がＵＩ部２を用いて入力した、ネットワーク制御のための設定内容を取得する。
【００４７】
ステップＳ２において、制御部３は、ＵＩ部２を介して入力された内容に基づいて、設定内容を決定する。具体的には、制御部３は、ＵＩ部２を介して入力された内容に基づいて、各ノード（ノード１１、ノード２１を含む）に設定する内容を決定する。
【００４８】
ステップＳ３において、ＥｘｐＥｔｈｅｒ処理部４は、制御部３が決定した内容を、各ノードに送信するためのフォーマットに変換し、各ノードに送信する。具体的には、ＥｘｐＥｔｈｅｒ処理部４は、制御部３が決定した内容をイーサフレームのメッセージに変換する。そして、ＥｘｐＥｔｈｅｒ処理部４は、ノード１１、ノード２１のＥｘｐＥｔｈｅｒ処理部１２、２２に、イーサフレームのメッセージを送信する。
【００４９】
ステップＳ１１において、ノード１１のＥｘｐＥｔｈｅｒ処理部１２は、受信した設定内容に基づいて、ＵＮＩポート部１３、Ｌ２ＳＷ処理部１４、及びＮＮＩポート部１５を設定する。具体的には、ＥｘｐＥｔｈｅｒ処理部１２は、受信したイーサフレームを変換し、受信した設定内容に基づいて、ＵＮＩポート部１３、Ｌ２ＳＷ処理部１４、及びＮＩポート部１５の設定を変更する。
【００５０】
また、ステップＳ２１において、ノード２１のＥｘｐＥｔｈｅｒ処理部２２は、受信した設定内容に基づいて、ＵＮＩポート部２３、Ｌ２ＳＷ処理部２４、及びＮＮＩポート部２５を設定する。詳細は、ノード１１と同様であるため、詳細な説明は省略する。
【００５１】
そして、各ノードは、設定完了を通信管理装置１に通知する。通信管理装置１は、設定完了通知を受信した場合、設定内容をＤＢ（Database）部５に保存する（ステップＳ４）。
【００５２】
以上のように、本実施形態に係る通信システム１０は、ＥｘｐＥｔｈｅｒを用いて、通信管理装置１と、各ノードとの通信を管理する。また、本実施形態に係る通信システム１０においては、通信管理装置１が、ネットワークを介して接続された各ノードを制御する。そのため、本実施形態に係る通信システム１０においては、各ノードは、ノードを制御するためのソフトウェアを搭載する必要がない。例えば、本実施形態に係る通信システム１０においては、機能追加時には、通信管理装置１がソフトウェアを更新すれば、各ノードにおいて、機能追加のためのソフトウェア更新等を行う必要がない。従って、本実施形態に係る通信システム１０は、２以上のノードを含む、ネットワークの管理を容易にすることに貢献する。
【００５３】
また、本実施形態に係る通信システム１０においては、ＥｘｐＥｔｈｅｒを使用するため、通信管理装置１と各ノードとが通信するために、通信管理装置１が、各ノードに応じた、異なるフォーマットのドライバソフトウェアを搭載する必要がない。従って、本実施形態に係る通信システム１０は、効率的にネットワークを管理することに貢献する。
【００５４】
［第２の実施形態］
次に、第２の実施形態について、図面を用いてより詳細に説明する。
【００５５】
本実施形態は、所定のノードを経由して、他のノードに接続する形態である。なお、本実施形態における説明では、上記の実施形態と重複する部分の説明は省略する。さらに、本実施形態における説明では、上記の実施形態と同一の構成要素には、同一の符号を付し、その説明を省略する。また、本実施形態における説明では、上記の実施形態と同一の作用効果についても、その説明を省略する。
【００５６】
図４は、本実施形態に係る通信システム１０ａの全体構成の一例を示す図である。本実施形態に係る通信システム１０ａは、通信管理装置１０１と、ノード１１１と、ノード１２１と、ノード１３１と、を含んで構成される。
【００５７】
通信管理装置１０１は、ＵＩ部１０２と、制御部１０３と、ＥｘｐＥｔｈｅｒ処理部１０４と、ＤＢ部１０５と、を含んで構成される。ノード１１１は、ＥｘｐＥｔｈｅｒ処理部１１２、１１６と、ＵＮＩポート部１１３と、Ｌ２ＳＷ処理部１１４と、ＮＮＩポート部１１５と、を含んで構成される。ノード１２１は、ＥｘｐＥｔｈｅｒ処理部１２２と、ＮＮＩポート部１２５と、Ｌ２ＳＷ処理部１２４と、ＵＮＩポート部１２３と、を含んで構成される。ノード１３１は、ＥｘｐＥｔｈｅｒ処理部１３２と、ＵＮＩポート部１３３と、Ｌ２ＳＷ処理部１３４と、ＮＮＩポート部１３５と、を含んで構成される。
【００５８】
図４に示す通信システム１０ａと、図２に示す通信システム１０との相違点は、図４に示す通信システム１０ａにおいては、ノード１１１の対向ノードである、ノード１３１を含む点である。さらに、図４に示す通信システム１０ａと、図２に示す通信システム１０との相違点は、図４に示す通信システム１０ａにおいては、ノード１１１が２つのＥｘｐＥｔｈｅｒ処理部（ＥｘｐＥｔｈｅｒ処理部１１２、及びＥｘｐＥｔｈｅｒ処理部１１６）を含む点である。
【００５９】
通信管理装置１０１の内部構成は、図２に示す通信管理装置１と同様の構成であるため、詳細な説明は省略する。また、ノード１２１の内部構成は、図２に示すノード２１と同様であるため、詳細な説明は省略する。
【００６０】
以下、第１の実施形態に係る通信システム１０との相違点について詳細に説明する。
【００６１】
ＥｘｐＥｔｈｅｒ処理部１１２は、通信管理装置１０１から送信されたイーサフレームが、自ノード宛であるか否かを判断する。通信管理装置１０１から送信されたイーサフレームが、自ノード宛である場合には、ＥｘｐＥｔｈｅｒ処理部１１２は、イーサフレームをＰＣＩ  Ｅｘｐｒｅｓｓに変換する。
【００６２】
一方、通信管理装置１０１から送信されたイーサフレームが他ノード宛である場合には、ＥｘｐＥｔｈｅｒ処理部１１６にイーサフレームを転送する。具体的には、通信管理装置１０１から送信されたイーサフレームが対向ノード宛である場合には、ＥｘｐＥｔｈｅｒ処理部１１６にイーサフレームを送信する。
【００６３】
ＥｘｐＥｔｈｅｒ処理部１１６は、対応ノードである、ノード１３１のＥｘｐＥｘｔｈｅｒ処理部１３２と接続する。ＥｘｐＥｔｈｅｒ処理部１１６は、イーサフレームがＥｘｐＥｔｈｅｒ処理部１１２から転送された場合、転送されたイーサフレームをＥｘｐＥｔｈｅｒ処理部１３２に送信する。
【００６４】
ＥｘｐＥｔｈｅｒ処理部１３２は、受信したイーサフレームをＰＣＩ  Ｅｘｐｒｅｓｓに変換する。図４に示す、ノード１３１のその他のモジュールに関しては、図２に示すノード１１と同様であるため、詳細な説明は省略する。
【００６５】
次に、本実施形態に係る通信システム１０ａの動作について説明する。
【００６６】
図５は、本実施形態に係る通信システム１０ａの動作の一例を示すフローチャートである。
【００６７】
ステップＳ１０１〜ステップＳ１０３の処理は、図３に示すステップＳ１〜Ｓ３の処理と同様であるため、詳細な説明は省略する。
【００６８】
ステップＳ１０３において、ＥｘｐＥｔｈｅｒ処理部１０４は、制御部１０３が決定した内容を、各ノードに送信するためのフォーマットに変換し、各ノードに送信する。そして、ステップＳ１１１、及びステップＳ１２１に遷移する。なお、ステップＳ１２１の処理は、図３に示すステップＳ２１の処理と同様であるため、詳細な説明は省略する。
【００６９】
ステップＳ１１１において、ＥｘｐＥｔｈｅｒ処理部１１２は、自ノード宛の設定内容に基づいて、ＵＮＩポート部１１３、Ｌ２ＳＷ処理部１１４、及びＮＮＩポート部１１５を設定する。また、ＥｘｐＥｔｈｅｒ処理部１１２は、他ノード宛のイーサフレームを受信した場合、他ノード宛の設定内容は、当該他ノードに転送する。具体的には、ＥｘｐＥｔｈｅｒ処理部１１２は、受信したイーサフレームを、ＥｘｐＥｔｈｅｒ処理部１１６を介して、対向ノードであるノード１３１に送信する。そして、ステップ１３１に遷移する。
【００７０】
ステップＳ１３１において、ＥｘｐＥｔｈｅｒ処理部１３２は、受信した設定内容に基づいて、ＵＮＩポート部１３３、Ｌ２ＳＷ処理部１３４、及びＮＮＩポート部１３５を設定する。そして、ノード１３１は、ノード１１１を介して、通信管理装置１０１に設定完了を通知する。そして、通信管理装置１０１は、設定された内容を、ＤＢ部１０５に保存する。
【００７１】
以上のように、本実施形態に係る通信システム１０ａは、所定のノードの対向ノードを含む。そのため、本実施形態に係る通信システム１０ａは、通信管理装置１０１と直接接続していないノードであっても、ＥｘｐＥｔｈｅｒを用いて、通信、及び管理することができる。従って、本実施形態に係る通信システム１０ａは、より一層、ネットワークの管理を容易にすることに貢献する。
【００７２】
上述の実施形態の一部又は全部は、以下の付記のようにも記載され得るが、以下には限られない。
【００７３】
（付記１）上記第１の視点に係る通信システムの通りである。
【００７４】
（付記２）前記通信管理装置は、前記各ノードに対する設定情報を受け付ける、入力部をさらに備え、前記第１の変換部は、前記設定情報をイーサフレームに変換し、当該イーサフレームを、当該設定情報に対応する前記ノードに送信し、前記第２の変換部は、前記設定情報を含む、イーサフレームを前記通信管理装置から受信し、受信したイーサフレームを、ＰＣＩ  Ｅｘｐｒｅｓｓに変換する、付記１に記載の通信システム。
【００７５】
（付記３）所定のノードと通信する対向ノードを含み、前記所定のノードの前記第２の変換部は、イーサフレームのメッセージの宛先に応じて、当該メッセージに対する処理を変更する、付記１又は２に記載の通信システム。
【００７６】
（付記４）前記第２の変換部は、受信したイーサフレームのメッセージが自ノード宛である場合、当該イーサフレームをＰＣＩ  Ｅｘｐｒｅｓｓに変換し、受信したイーサフレームのメッセージが前記対向ノード宛である場合、当該イーサフレームのメッセージを、当該対向ノードに送信する、付記３に記載の通信システム。
【００７７】
（付記５）上記第２の視点に係る通信管理装置の通りである。
【００７８】
（付記６）上記第３の視点に係るノードの通りである。
【００７９】
（付記７）上記第４の視点に係る通信管理方法の通りである。
【００８０】
（付記８）前記各ノードに対する設定情報を受け付ける工程をさらに含み、前記変換工程において、前記設定情報をイーサフレームに変換し、当該イーサフレームを、当該設定情報に対応する前記ノードに送信する、付記７に記載の通信管理方法。
【００８１】
（付記９）上記第５の視点に係るノードの制御方法の通りである。
【００８２】
（付記１０）前記変換工程において、設定情報を含む、イーサフレームを受信し、受信したイーサフレームを、ＰＣＩ  Ｅｘｐｒｅｓｓに変換する、付記９に記載のノードの制御方法。
【００８３】
（付記１１）前記変換工程において、イーサフレームのメッセージの宛先に応じて、当該メッセージに対する処理を変更する、付記９又は１０に記載のノードの制御方法。
【００８４】
（付記１２）前記変換工程において、受信したイーサフレームのメッセージが自ノード宛である場合、当該イーサフレームをＰＣＩ  Ｅｘｐｒｅｓｓに変換し、受信したイーサフレームのメッセージが対向ノード宛である場合、当該イーサフレームのメッセージを、当該対向ノードに送信する、付記１１に記載のノードの制御方法。
【００８５】
（付記１３）上記第６の視点に係るプログラムの通りである。
【００８６】
（付記１４）前記各ノードに対する設定情報を受け付ける処理をさらに実行し、前記第１の変換処理において、前記設定情報をイーサフレームに変換し、当該イーサフレームを、当該設定情報に対応する前記ノードに送信する、付記１３に記載のプログラム。
【００８７】
（付記１５）上記第７の視点に係るプログラムの通りである。
【００８８】
（付記１６）前記第２の変換処理において、設定情報を含む、イーサフレームを受信し、受信したイーサフレームを、ＰＣＩ  Ｅｘｐｒｅｓｓに変換する、付記１５に記載のプログラム。
【００８９】
（付記１７）前記第２の変換処理において、イーサフレームのメッセージの宛先に応じて、当該メッセージに対する処理を変更する、付記１５又は１６に記載のプログラム。
【００９０】
（付記１８）前記第２の変換処理において、受信したイーサフレームのメッセージが自ノード宛である場合、当該イーサフレームをＰＣＩ  Ｅｘｐｒｅｓｓに変換し、受信したイーサフレームのメッセージが対向ノード宛である場合、当該イーサフレームのメッセージを、当該対向ノードに送信する、付記１７に記載のプログラム。
【００９１】
なお、上記の特許文献の開示を、本書に引用をもって繰り込むものとする。本発明の全開示（請求の範囲を含む）の枠内において、さらにその基本的技術思想に基づいて、実施形態の変更・調整が可能である。また、本発明の全開示の枠内において種々の開示要素（各請求項の各要素、各実施形態の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００９２】
１、１０１、１０１１  通信管理装置
２、１０２  ＵＩ部
３、１０３  制御部
４、１２、２２、１０４、１１２、１１６、１２２、１３２  ＥｘｐＥｔｈｅｒ処理部
５、１０５  ＤＢ部
１０、１０ａ、１０００  通信システム
１１、２１、１１１、１２１、１３１、１０１２  ノード
１３、２５、１１３、１２３、１３３  ＵＮＩポート部
１４、２４、１１４、１２４、１３４  Ｌ２ＳＷ部
１５、２３、１１５、１２５、１３５  ＮＮＩポート部
１１０１  第１の変換部
１１０２  第２の変換部
【図１】
2015192302.tif 000003
【図２】
2015192302.tif 000004
【図３】
2015192302.tif 000005
【図４】
2015192302.tif 000006
【図５】
2015192302.tif 000007